(57)【要約】光導波管を備えた携帯端末器用フラッシュモジュールが提供される。このフラッシュモジュールは、光を放出する光源部と、光源部に一方端部が結合され光源部から入光された光を内部で均一に拡散及び偏向させて他方端部に出光させる光導波管と、光導波管の他方端部に位置して出光される光を外部に伝達するレンズ部を含む。【特許請求の範囲】
【請求項１】
光を放出する光源部と、
前記光源部に一方端部が結合され前記光源部から入射した光を均一に拡散及び偏向させて他方端部に出光する光導波管と、
前記光導波管の他方端部に配されて出射する光を外部に伝達するレンズ部と、
を含む光導波管を備えた携帯端末器用フラッシュモジュール。
【請求項２】
前記光源部は、蛍光ランプ、陰極発光蛍光ランプ、発光ダイオード（ＬＥＤ）、有機発光ダイオード（ＯＬＥＤ）、又はプラズマ照明システム（ＰＬＳ）のうちの何れか１つを光源として備えている請求項１に記載の光導波管を備えた携帯端末器用フラッシュモジュール。
【請求項３】
前記光導波管は、ポリメチルメタクリレート、ポリカボネート、及びガラスのうちの何れか１つからなるものである請求項１に記載の光導波管を備えた携帯端末器用フラッシュモジュール。
【請求項４】
前記光導波管の表面は、銀、アルミニウム、ニケッル、及びチタンのうちの何れか１つでコーティングされている請求項１に記載の光導波管を備えた携帯端末器用フラッシュモジュール。
【請求項５】
前記光導波管は、円形、楕円形、又は多角形の断面を有するものである請求項１に記載の光導波管を備えた携帯端末器用フラッシュモジュール。
【請求項６】
前記光導波管は、前記光源部からの入射光を偏向させる反射面を有するものである請求項１に記載の光導波管を備えた携帯端末器用フラッシュモジュール。
【請求項７】
前記光源部と前記光導波管が一体化されている請求項１に記載の光導波管を備えた携帯端末器用フラッシュモジュール。
【請求項８】
前記光導波管と前記レンズ部が一体化されている請求項１に記載の光導波管を備えた携帯端末器用フラッシュモジュール。
【請求項９】
前記光源部と前記光導波管及び前記レンズ部が全部一体化されている請求項１に記載の光導波管を備えた携帯端末器用フラッシュモジュール。
【発明の詳細な説明】
【技術分野】
【０００１】
本発明は携帯端末器用フラッシュモジュールに係り、特に、光源と携帯端末器のフラッシュレンズとの間に光導波管を配して、光導波管内部で光を均一に拡散及び偏向させてフラッシュレンズに出光されるようにする光導波管を適用した携帯端末器用フラッシュモジュールに関わる。
【背景技術】
【０００２】
最近、電子通信産業の急激な発展によって携帯用端末器も発展しつつある。携帯用端末器は、利用者の多様な要求を満足させるために、音声による電話機能に加えて付加的な機能を具備してきている。現在のところ、携帯端末器は、軽量、コンパクト、そして小型というトレンドの中にあり、携帯端末器製造者らは上述の要求に合致するように全力を注いでいる。
【０００３】
上述の付加的機能は、カメラ機能、ＭＰ３プレーヤ機能、及びゲーム機能を含む。
【０００４】
特に、カメラ機能をもたらすためのカメラモジュールは、現在では、２００万画素レベル以上の高画質を達成することがトレンドとなっている。上述のカメラモジュールに加えて、写真撮影の際にフラッシュ機能を果たすための照明装置が携帯端末器に採用されている。このような照明装置としては、一般的に、発光ダイオード（ＬＥＤ）が用いられている。
【０００５】
図１は、従来の携帯端末器用フラッシュモジュールの概観を図解している。図１を参照すると、携帯端末器１１は、カメラ１３と当該カメラ１３に近接するレンズ部２５を備えている。レンズ部２５の後方には光源部２１が設けられている。図１はスライド型の携帯端末器を図示しているが、図１に示された照明装置は他のタイプの携帯端末器にも応用可能であり、大きな相違はない。
【０００６】
上記のカメラ１３にとって、画角に対応するものであるところの、ＬＥＤの光が被写体に到達する領域である照射角を有する光源部２１を使用することが最も効果的であるが、光源部２１の照射角をカメラの画角程度で調節することは、技術的な問題によって容易なことではない。
【０００７】
加えて、レンズ部２５の後部に光源部２１が位置する場合、ＬＥＤは指向性に優れているために、光源部２１から光が放出されると中央部の輝度は優れているが、角度によって暗いところができる。また、殆どの被写体は人物であるが、中心部分から直線で放出された光の輝度のために、写真を取られる人は、近接した距離では不快な思いをしてしまう。
【発明の開示】
【発明が解決しようとする課題】
【０００８】
本発明は、光源と携帯端末器のフラッシュレンズとの間に光導波管を配して、光導波管内部で光を均一に拡散及び偏向させてフラッシュレンズに出光されるようにする光導波管を適用した携帯端末器用フラッシュモジュールを提供するものである。
【課題を解決するための手段】
【０００９】
本発明の１つの態様は、光を放出する光源部と、当該光源部に一方端部が結合され光源から入光された光を内部で均一に拡散及び偏向させて他方端部に出光されるようにする光導波管と、当該光導波管の他方端部に配されて出光される光を外部に伝達するレンズ部を含む、光導波管を適用した携帯端末器用フラッシュモジュールを提供する。
【００１０】
上記の光源部は、蛍光ランプ、陰極発光蛍光ランプ、発光ダイオード（ＬＥＤ）、
有機発光ダイオード（ＯＬＥＤ）、又はプラズマ照明システム（ＰＬＳ）のうちの何れかを、光源として備えている。
【００１１】
上記の光導波管は、ポリメチルメタクリレート、ポリカボネート、及びガラスのうちの何れかからなる。光導波管の表面は、銀、アルミニウム、ニケッル、及びチタンのうちの何れかでコーティングされている。光導波管は、円形、楕円形、又は多角形の断面を有する。光導波管は、上述の光源部から入光された光が偏向されるようにする反射面を有する。
【００１２】
上記の光源と光導波管とは一体的に形成し得るものであり、光導波管とレンズ部とは一体的に形成し得るものであり、光源と光導波管及びレンズ部は一体的に形成され得る。
【発明の効果】
【００１３】
上述のとおり、本発明によれば、光導波管を携帯端末器のフラッシュモジュール内に設けることとしたので、光導波管内に入射した光が均一に拡散して偏向することとなり、フラッシュレンズに効率よく出射されて優れた光効率が得られる。そして、照射角をカメラの画角に合致させることが可能である。
【発明を実施するための最良の形態】
【００１４】
以下に、本発明の望ましい実施例を詳細に説明する。しかし、本発明は後述の実施の態様に限定されるものではなく、様々な態様として実施することができる。従って、この好ましい実施態様は、本発明の開示のため及び当業者に対して本発明の意図するところを知らしめるために供されるものである。
【００１５】
本発明の実施態様例としての放送コンテンツの管理システムを構成するサーバも、添付の図面を参照して説明される。
【００１６】
図２及び図３は、本発明に係る光導波管を適用した携帯端末器用フラッシュモジュールの好ましい態様を示す図である。図４は、本発明に係る光導波管を適用した携帯端末器用フラッシュモジュールの概観図である。図５は、従来のフラッシュモジュールを用いた携帯端末器の光効率測定実験結果を示す図であり、図６は、本発明に係るフラッシュモジュールを用いた携帯端末器の光効率測定実験結果を示す図である。
【００１７】
図２及び図３を参照すると、本発明による光導波管を適用した携帯端末器用フラッシュモジュールは、光を放出する光源部２１と、光源部２１に一方端部が結合されこの光源部から入光された光を内部で均一に拡散及び偏向させ他方端部に出光されるようにする光導波管２３と、光導波管２３の他方端部に位置して出光される光を外部に伝達するレンズ部２５を含んで構成される。
【００１８】
光源部２１は、光源２１３と光源反射部で構成されるが、この光源２１３は光源部２１の中央に位置する。
【００１９】
光源２１３としては、蛍光ランプ、陰極発光蛍光ランプ、発光ダイオード（ＬＥＤ）、有機発光ダイオード（ＯＬＥＤ）、又はプラズマ照明システム（ＰＬＳ）などを用いることができる。ＰＬＳはマイクロウェーブを作用させてプラズマ発光原理を応用した新概念の光源である。ＰＬＳの原理は、特定ガスが注入されたチャンバ内のマグネトロンで発生されたマイクロウェーブがガス原子と衝突しながら高度でイオン化されたプラズマ状態となるとき光が発光されるというものである。
【００２０】
光源反射部は、光源２１３から出る光が光導波管２３の内部に入射されるように反射させて光効率を向上させる。このために、光源反射部は反射性の高い物質から構成され、その表面に銀がコーティングされたりする。
【００２１】
光導波管２３は、ポリメチルメタクリレート、ポリカボネート、及びガラスのうちの何れかからなる。
【００２２】
光導波管２３は一般的に、ポリメチルメタクリレート（ＰＭＭＡ）のような透明アクリル樹脂で構成され、中空のチューブ形状をもつ。ＰＭＭＡは強度が高く、めったに変形することがなく、可視光線の透過率が高い。
【００２３】
光導波管２３は、その内側に入射された光が連続的に全て反射させるように設計される。
【００２４】
好ましくは、光導波管２３の全面は、銀、アルミニウム、ニケッル、及びチタンのうちの何れかでコーティングされる。また、アルミニウムからなる光導波管２３は、銀（Ａｇ）をコーティングし、それから、熱による変形を防止するためにチタンで再度コーティングされたりする。
【００２５】
光導波管２３の表面全体を金属でコーティングした場合には、光導波管２３に入射した光は外部には出光されず、他方端部に位置したレンズ部２５へと出光されることとなるので、光損失を最小化することができる。
【００２６】
光導波管２３は、その断面が円形、楕円形、及び多角形のチューブ形状であるが、その形状は、携帯端末器の種類とフラッシュモジュールの位置を考慮した変形が可能である。光導波管２３は、光源部２１から入射した光が偏向されるようにする反射面２３３を更に含むことができる。図２及び図３に示したような、光導波管２３の光を偏向させるためのＬ字状端部の内面は、光反射面２３３としての役目を果たす。
【００２７】
反射面２３３の角度は、好ましくは、カメラの画角に合致する照射角で光が出射できるように決定される。
【００２８】
携帯端末器は、近年では、スリム化と小型化がトレンドである。図４には、構成部品が別々に配置されているが、スリム化と小型化のためには、携帯端末器のタイプに応じて、光源部２１と光導波管２３を一体化すること、光導波管２３とレンズ部２５を一体化すること、或いは、光源部２１と光導波管２３及びレンズ部２５の全部を一体化することもできる。
【００２９】
本発明の効果は、図５及び図６により明らかにすることができる。図５に示すように、従来のフラッシュモジュールを備えた携帯端末器では、光が中央部に集中して出射される。それとは反対に、図６に示すように、本発明による光導波管を適用したフラッシュモジュールを備えた携帯端末器では、光が集中することなく、均等に分布して出射される。従来のフラッシュモジュールを備えた携帯端末器の光効率は４５．６％であるが、本発明のフラッシュモジュールを備えた携帯端末器の光効率は５３．７％である。
【００３０】
以上、本発明を実施例によって説明したが、当業者には理解されるように、請求の範囲に記載したように、本発明の思想と意図から乖離することなく、その態様や内容についての様々な変更が可能である。
【図面の簡単な説明】
【００３１】
【図１】図１は、従来の携帯端末器用フラッシュモジュールの概観図；
【図２】図２及び図３は、本発明に係る光導波管を適用した携帯端末器用フラッシュモジュールの好ましい態様を示す図；
【図３】図２及び図３は、本発明に係る光導波管を適用した携帯端末器用フラッシュモジュールの好ましい態様を示す図；
【図４】図４は、本発明に係る光導波管を適用した携帯端末器用フラッシュモジュールの概観図；
【図５】図５は、従来のフラッシュモジュールを用いた携帯端末器の光効率測定実験結果を示す図；そして、
【図６】図６は、本発明に係るフラッシュモジュールを用いた携帯端末器の光効率測定実験結果を示す図である。
【符号の説明】
【００３２】
１１：携帯端末器
１３：カメラ
２１：光源部
２３：光導波管
２５：レンズ部
２１３：光源
【図１】
2009517722.tif 000002
【図２】
2009517722.tif 000003
【図３】
2009517722.tif 000004
【図４】
2009517722.tif 000005
【図５】
2009517722.tif 000006
【図６】
2009517722.tif 000007
【国際調査報告】
2009517722.tif 000008
2009517722.tif 000009